(57)【特許請求の範囲】
【請求項１】
床下空間と外気取入れ口及び該外気取入れ口より高所に位置する排気口を設けた気密構造の複数階建て建屋本体と、該建屋本体に設けられ、吸気ファンにより前記外気取入れ口から外気を取り込む気密性と断熱性を有する定圧室と、前記床下空間内に設けられ、該定圧室から断熱性を有する外気供給管を介して外気が供給されると共に、一階床部に設けた回帰口に連通する断熱構造の定温室と、前記床下空間から二階空間に連通して設けた上昇風道と、前記建屋本体に設けられ、前記二階空間を一階空間に連通する下降風道と、前記一階空間及び二階空間の仕切壁に設けた通気口と、前記床下空間に配置した熱源とから構成し、前記定圧室では取り入れた外気の圧力変動を安定化し、前記床下空間から前記上昇風道及び通気口を介して前記一階空間及び二階空間を流動させ、前記下降風道により二階空間から一階空間に温度差により降下して前記回帰口から前記定温室に流入する屋内空気を、前記定圧室で安定化して該定温室に送られる外気と混合して温調空気を生成し、該温調空気は必要に応じて前記熱源により加温して前記床下空間から建屋本体内に循環させ、一部は前記排気口から屋外に放出して常時換気するようにしてなる外気導入による換気温調式建屋。
【請求項２】
床下空間と外気取入れ口及び該外気取入れ口より高所に位置する排気口を設けた気密構造の建屋本体と、該建屋本体に設けられ、吸気ファンにより前記外気取入れ口から外気を取り込む気密性と断熱性を有する定圧室と、前記床下空間内に設けられ、該定圧室から断熱性を有する外気供給管を介して外気が供給されると共に、一階床部に設けた回帰口に連通する断熱構造の定温室と、前記床下空間に連通して一階床部に設けた吹出し口と、前記建屋本体の一階空間に設けた通気口と、前記床下空間に配置した熱源とから構成し、前記定圧室では取り入れた外気の圧力変動を安定化し、前記床下空間から前記吹出し口を介して前記一階空間に屋内空気を流動させ、温度差により降下して前記回帰口から前記定温室に流入する屋内空気を、前記定圧室で安定化して該定温室に送られる外気と混合して温調空気を生成し、該温調空気は必要に応じて前記熱源により加温して前記床下空間から建屋本体内に循環させ、一部は前記排気口から屋外に放出して常時換気するようにしてなる外気導入による換気温調式建屋。
【請求項３】
前記定圧室には導入する外気を浄化する空気浄化装置を設けてあることを特徴とする請求項１又は２記載の外気導入による換気温調式建屋。
【請求項４】
前記定温室に流入する前記屋内空気のリターン流量は、前記定圧室から供給される外気との温度差によって比例的に増減することを特徴とする請求項１又は２記載の外気導入による換気温調式建屋。
【発明の詳細な説明】
【技術分野】
【０００１】
本発明は、外気を導入して建屋内の換気を行い、かつ外気と屋内空気との温度差を利用して混合することにより好適な温調を図ることができるようにした外気導入による換気温調式建屋に関する。
【背景技術】
【０００２】
住宅の換気には第一種換気、第二種換気、第三種換気があるが、いずれの換気方法も電動ファンに依存するものである。他に、外気と屋内空気との温度差による対流運動を利用して換気を行う自然対流式換気方法も知られている（特許文献１）。
【０００３】
この自然対流式換気方法は、床下空間に給気手段により外気を供給し、床下空間に設置した蓄熱暖房装置により外気と循環空気を暖めて吹出し開口部から居住空間に吹出し、暖気の一部を排気手段から建物の外に排出し、居住空間を巡った暖気は回帰開口部から床下空間に回帰させ、回帰空気量制御手段により回帰開口部から床下に回帰する空気の量を増減制御する技術である。
【先行技術文献】
【特許文献】
【０００４】
【特許文献１】第４３９２５０８号特許公報
【発明の概要】
【発明が解決しようとする課題】
【０００５】
従来の第一種から第三種の換気方法は、電動ファンの力で換気を行うものであるから電気代が嵩む、住宅内の冷暖房に別途冷暖房器具が必要であるし、この電気代やガス代のエネルギー代が掛るという欠点がある。また、特許文献１の技術は、省エネルギーであるが、床下への循環空気の回帰量は機械的に制御すること、外気と循環空気の温度差は自然対流にのみ利用するもので温調に関係していないこと、風量が不定で風圧も弱いので空気浄化装置を組付けると外気が供給されずに対流運動が停止するという未解決の問題点がある。
【０００６】
本発明は上述した従来技術の欠点や未解決の問題点に鑑みなされたもので、外気を供給して建屋内の換気を行うと共に、供給する外気と循環する屋内空気との温度差に比例して回帰量を自然に制御するので、屋内空気を加温する熱源の負荷が小さくランニングコストが掛からないし、自動的に建屋内の温調が行われるので操作上の面倒からも開放される外気導入による換気温調式建屋を提供することを目的とする。
【課題を解決するための手段】
【０００７】
上述した課題を解決するために構成した請求項１に係る本発明の手段は、床下空間と外気取入れ口及び該外気取入れ口より高所に位置する排気口を設けた気密構造の複数階建て建屋本体と、該建屋本体に設けられ、吸気ファンにより前記外気取入れ口から外気を取り込む気密性と断熱性を有する定圧室と、前記床下空間内に設けられ、該定圧室から断熱性を有する外気供給管を介して外気が供給されると共に、一階床部に設けた回帰口に連通する断熱構造の定温室と、前記床下空間から二階空間に連通して設けた上昇風道と、前記建屋本体に設けられ、前記二階空間を一階空間に連通する下降風道と、前記一階空間及び二階空間の仕切壁に設けた通気口と、前記床下空間に配置した熱源とから構成し、前記定圧室では取り入れた外気の圧力変動を安定化し、前記床下空間から前記上昇風道及び通気口を介して前記一階空間及び二階空間を流動し、前記下降風道により二階空間から一階空間に温度差により降下して前記回帰口から前記定温室に流入する屋内空気を、前記定圧室で安定化して該定温室に送られる外気と混合して温調空気を生成し、該温調空気は必要に応じて前記熱源により加温して前記床下空間から建屋本体内に循環させ、一部は前記排気口から屋外に放出して常時換気するようにしてなる。
【０００８】
また、請求項２に係る本発明を構成する手段は、床下空間と外気取入れ口及び該外気取入れ口より高所に位置する排気口を設けた気密構造の建屋本体と、該建屋本体に設けられ、吸気ファンにより前記外気取入れ口から外気を取り込む気密性と断熱性を有する定圧室と、前記床下空間内に設けられ、該定圧室から断熱性を有する外気供給管を介して外気が供給されると共に、一階床部に設けた回帰口に連通する断熱構造の定温室と、前記床下空間に連通して一階床部に設けた吹出し口と、前記建屋本体の一階空間に設けた通気口と、前記床下空間に配置した熱源とから構成し、前記定圧室では取り入れた外気の圧力変動を安定化し、前記床下空間から前記吹出し口を介して前記一階空間に屋内空気を流動させ、温度差により降下して前記回帰口から前記定温室に流入する屋内空気を、前記定圧室で安定化して該定温室に送られる外気と混合して温調空気を生成し、該温調空気は必要に応じて前記熱源により加温して前記床下空間から建屋本体内に循環させ、一部は前記排気口から屋外に放出して常時換気するようにしてなる。
【０００９】
そして、前記定圧室には導入する外気を浄化する空気浄化装置を設けるとよい。
【００１０】
また、前記定温室に流入する前記屋内空気のリターン流量は、前記定圧室から供給される外気との温度差によって比例的に増減するものである。
【発明の効果】
【００１１】
本発明は上述の如く構成したから下記の諸効果を奏する。
（１）導入する外気は定圧室で圧力変動を安定化して定温室に供給し、定温室では外気と建屋内を還流する屋内空気を混合して温調空気を生成するので、安定した屋内温度にすることができる。
（２）定温室に供給する外気と屋内から還流する屋内空気とは温度差に比例して屋内空気のリターン流量が減少し或いは増加する現象を利用するので、動力源を用いないで建屋内の温調を図ることができるし、熱源に掛る負荷を小さくできるので低コストで換気と温調空気を図ることができる。
（３）外気吸引ファンを設けて定圧室に導入する外気は、空気浄化装置により浄化するから、建屋本体内の空気浄化を図ることができる。
【図面の簡単な説明】
【００１２】
【図１】図１乃至図３は本発明の第１の実施の形態に係り、図１は二階建て建屋の全体構成を示す断面図である。
【図２】定温室の斜視図である。
【図３】外気温度とリターン流量の関係を示す線図である。
【図４】第２の実施の形態に係る平屋建て建屋の全体構成を示す断面図である。
【発明を実施するための形態】
【００１３】
以下、本発明の実施の形態を図面に基づき詳述する。図１乃至図３は第１の実施の形態を示す。図において、１は気密構造からなる二階建の建屋本体、２は該建屋本体１を構成して地盤Gに敷設したスラブ、３は該スラブ２の周囲に起立した基礎、４、４、・・は該基礎３に立設した４面の外壁、５は該外壁４の上に設置した屋根部である。６は前記スラブ２に対面して設けた一階床部で、該一階床部６とスラブ２の間に床下空間７が画成してある。
【００１４】
８は一階天井、９は二階床部で、一階床部６と一階天井８との間に設けた仕切壁１０、１０によって一階には複数の一階空間１１、１１（以下、一階空間１１と称する。）が画成してある。また、二階床部９と二階天井１２との間に設けた仕切壁１３、１３によって二階空間１４、１４（以下、二階空間１４と称する。）が画成してある。そして、該二階空間１４は階段１５によって一階空間１１と連通し、屋根部５に設けた排気ダクト１６によって屋外と連通している。
【００１５】
建屋本体１は上述の構成からなり、一階床部６には床下空間７と一階空間１１に連通する床ガラリ１７を設け、一階空間１１及び二階空間１４の各仕切壁１０、１３には壁ガラリ１８、１８が設けてあり、建屋本体１内を空気が流動するようにしてある。１９は床下空間７に開口して一階床部６に設けた回帰口で、該回帰口１９にはガラリが設けてある。２０は床下空間７から二階空間１４に連通して設けた通気管からなる上昇風道である。
【００１６】
２１は一階空間１１に設けた定圧室で、該定圧室２１は断熱性のある材料により気密構造の箱型に構成してあり、外壁４に設けた吸気口２２に接続して吸気管２３が導出してあり、該吸気管２３には空気浄化装置２４が設けてある。２５は定圧室２１に設けた外気吸引ファンで、該外気吸引ファン２５には一階床部６を通して床下空間７に伸長する断熱性を有する外気供給管２６が接続してある。
【００１７】
２７は床下空間７に設置した定温室で、該定温室２７は図２に示すように、断熱性のある材料によって箱型に構成してあり、一側側面２７Ａに前記外気供給管２６の先端が接続してある。また、上側面２７Ｂには前記回帰口１９に連通する流入口２８が設けてあり、一側側面２７Ａと直角方向に異なる他側側面２７Ｃに床下空間７に開口する放出口２９が設けてある。３０、３０は床下空間７に設置した熱源で、該熱源３０には循環空気の加温に大きな熱量を必要としないので例えばエアコンディショナーを用いている。
【００１８】
本実施の形態は上述の構成からなるもので、次にその作用について説明する。先ず、外気温度が低下する冬季について説明する。外気吸引ファン２５を駆動して定圧室２１を負圧にすると、例えばマイナス１０度の外気が定圧室２１に吸引され、空気浄化装置２４によって浄化された外気は外気供給管２６を介して定温室２７に吹込まれる。外気供給管２６及び定温室２７は断熱構造にすることにより定温室２７内で外気は略マイナス１０℃を維持することができる。
【００１９】
他方、屋内空気は、建屋本体１内の床下空間７から一階空間１１、上昇風道２０を上昇して二階空間１４に流動し、温度の低下に伴って階段である降下風道１５から降下して回帰口１９に還流する。屋内空気は定温室２７内の温度差に比例してリターン量が増大し（図３参照）、回帰口１９、流入口２８から定温室２７に流入する。
ここで、リターン流量の増減について説明すると、リターン流量は屋内温度、外気温度及び熱源の温度の３要素によって決定される。屋内温度と外気温度との温度差によって建屋本体１内での循環量が決まり、屋内温度が一定であれば外気温度が低いほど循環量が増えることになり、外気温度と屋内温度が同じであれば、エアコンディショナー３０の温度を上げることで循環量を増やすことが出来る。
【００２０】
このように、定温室２７への屋内空気の流入量は外気温度との温度差に比例し、温度差が大きいほど定温室２７への室内空気のリターン流量が増加するので、定温室２７内の外気の温度に対する温度差に比例して屋内空気のリターン流量が増すことで温度の均一化が図られた温調空気が生成される。温調空気は定温室２７の放出口２９から床下空間７に放出され、必要に応じてエアコンディショナー３０に設定した温度によって加温した温調空気は上昇気流となって上記の流れで建屋本体１内を還流する。
【００２１】
建屋本体１内を上昇する屋内空気は流動する間に約３０％は上昇気流として排気ダクト１６から屋外に放出されることで、建屋本体1内の換気が行われる。また、加温状態にある屋内空気の約７０％は下降気流となって階段である下降風道１５を流下して一階空間１１に流入し、回帰口１９から流入口２８を介して定温室２７に流入する。
【００２２】
このように、導入する外気の温度と建屋本体１内を流動する屋内空気の温度差に比例して定温室２７に流入する屋内空気の量が自然に制御されるから、所望の室温を維持できる。定温室２７から床下空間７に放出される温調空気の温度が低い場合、室内温度を高くしたい場合には必要に応じてエアコンディショナー３０を駆動して加温するだけで良いから、エアコンディショナー３０の負荷は最小限でランニングコストも大幅に節減することができる。
【００２３】
他方、夏季には、外気の温度と屋内空気の温度に大きな差は生じないので外気と室内空気の混合量は少ないため、外気吸引ファン２５による換気が主な作用であるが、寒冷地では夏季でも夜から朝の時間帯では外気温度と屋内温度に温度差が生じるので定温室２７へのリターン流量は増加する。
【００２４】
次に、図４は第２の実施の形態を示す。なお、上述した第１の実施の形態の構成要素と同一の構成要素には同一の符号を付して援用し、その説明を省略する。図において、３１は気密構造からなる平屋建ての建屋本体、３２は該建屋本体３１を構成して地盤Gに敷設したスラブ、３３は該スラブ３２の周囲に起立した基礎、３４、３４、・・は該基礎３３に立設した４面の外壁で、３５は該外壁３４の上に設置した屋根部である。３６は前記スラブ３２に対面して設けた一階床部で、該一階床部３６とスラブ３２の間に床下空間３７が画成してある。
【００２５】
３８は一階天井、３９、３９は一階床部３６と一階天井３８との間に設けた仕切壁で、該仕切壁３９によって複数の部屋４０、４０が画成してある。４１は屋根部３５に設けた排気ダクトで、該排気ダクト４１によって部屋４０は屋外と連通している。
【００２６】
建屋本体３１は上述の構成からなり、一階床部３６には床下空間３７と部屋４０に連通する床ガラリ４２を設け、仕切壁３９には壁ガラリ４３を設けることで建屋本体３１内を空気が流動するようにしてある。４４は床下空間３７に開口して一階床部３６に設けた回帰口で、該回帰口４４にはガラリが設けてある。
【００２７】
そして、１の部屋４０に定圧室２１を設置し、外壁３４に設けた吸気口４５に吸気管２３を接続することで、外気吸引ファン２５により外気を定圧室２１に導入するようになっている。
【００２８】
本実施の形態は上述の構成からなるもので、外気吸引ファン２５により外気を導入して建屋本体３１内の換気を行い、また定圧室２１から外気を定温室２７に供給し、建屋本体３１内を還流する屋内空気との温度差によって屋内空気のリターン流量を制御して温調を図るという作用は、平屋建ての建屋においても第１の実施の形態と同じに実現できる。
【００２９】
なお、本発明は平屋建て建屋から二階以上の複数階の建屋に用いることが出来るものである。
【符号の説明】
【００３０】
１、３１      建屋本体
７、３７      床下空間
１１、４０    一階部屋（一階空間）
１４          二階部屋（二階空間）
１５          階段（下降風道）
１６、４１    排気ダクト
１７、１８、４２、４３    ガラリ（通気口）
１９、４４    回帰口
２０          上昇風道
２１          定圧室
２２          吸気口
２４          空気浄化装置
２５          外気吸引ファン
２６          外気供給管
２７          定温室
３０          エアコンディショナー（熱源）
【図１】
0006566437.tif 000002
【図２】
0006566437.tif 000003
【図３】
0006566437.tif 000004
【図４】
0006566437.tif 000005